(57)【特許請求の範囲】
【請求項１】
絶縁性材料からなり、ケーブルが挿入されるリセプタクル本体と、
前記リセプタクル本体に装着される複数のコンタクトと、
その弾性力により、前記リセプタクル本体に挿入されたケーブルと前記コンタクトとを互いに離間させて不導通とする離間部材と、
前記離間部材の弾性力に抗して、前記ケーブルを前記コンタクト側に付勢する付勢部材と、
前記ケーブルが前記リセプタクル本体内の所定位置まで挿入されたときにのみ、前記付勢部材の付勢力により前記ケーブルと前記コンタクトとを互いに接触導通させるように、前記ケーブルの前記コンタクト側への移動を規制する移動規制部材と、
を備えるリセプタクルコネクタを具備することを特徴とするケーブル用コネクタ。
【請求項２】
前記ケーブルは、前記リセプタクルコネクタとは別個のホルダに保持された状態で、前記リセプタクル本体に挿入される請求項１記載のケーブル用コネクタ。
【請求項３】
前記付勢部材は前記ホルダに保持されたアクチュエータであって、前記アクチュエータは、前記ホルダを前記リセプタクル本体に挿入したときに、前記コンタクトに軸支されて回動可能なカム部を備え、前記カム部の回動により、前記離間部材の弾性力に抗して、前記ケーブルを前記コンタクト側へ付勢する請求項２記載のケーブル用コネクタ。
【請求項４】
前記離間部材は、前記リセプタクル本体に挿入されたケーブルと前記コンタクトが対向する方向に弾性変形可能となるように、前記リセプタクル本体に支持されたばねであって、前記付勢部材による付勢力が働いていない状態では、その弾性力により前記ケーブルと前記コンタクトとを互いに離間させる請求項１〜３のいずれか１項記載のケーブル用コネクタ。
【請求項５】
前記移動規制部材は、
前記ホルダの側面から外方に突出するように設けられた凸状部と、
前記ケーブルが前記リセプタクル本体の前記所定位置まで挿入されたときに、前記付勢部材の付勢力により、内部に前記凸状部を格納し、これにより前記ケーブルと前記コンタクトとを互いに接触させるように、前記リセプタクル本体に凹設された凹状格納部と、
前記凸状部が前記凹状格納部に格納された状態を維持する格納維持部と、
を備える請求項２〜４のいずれか１項記載のケーブル用コネクタ。
【請求項６】
前記格納維持部は、前記カム部であって、互いに対向して配置された前記コンタクトの接触部とスタビライザ脚の間に配置され、前記ケーブルを前記接触部側へ付勢するための回動後に、前記カム部に設けた平面部の対向する両端面を前記ケーブルの裏面と前記スタビライザ脚にそれぞれ当接させて、前記接触部、前記ケーブルの当接面、前記平面部、及び、前記スタビライザの当接面が一直線上に並んだ状態とすることにより、前記凸状部が前記凹状格納部に格納された状態を維持する請求項５記載のケーブル用コネクタ。
【発明の詳細な説明】
【技術分野】
【０００１】
本発明は、フレキシブルプリント基板（ＦＰＣ）、フレキシブルフラットケーブル（ＦＦＣ）その他の平型で柔軟なケーブルを保持するためのケーブル用コネクタに関する。
【背景技術】
【０００２】
平型で柔軟なケーブルを保持するための従来のケーブル用コネクタとしては、ケーブルが挿入される絶縁性のハウジングと、この絶縁ハウジング内に装着された複数のコンタクトと、挿入されたケーブルをコンタクトに向けて押圧する加圧部と、この加圧部を移動させるためのカム部を有するアクチュエータと、を備えるものがあった。
【特許文献１】特開２００４−８７３６１号公報
【発明の開示】
【発明が解決しようとする課題】
【０００３】
しかしながら、従来のケーブル用コネクタにおいては、ケーブルをリセプタクル本体に挿入はしたもののアクチュエータの閉作業を忘れた場合、ケーブルの挿入やアクチュエータの閉作業が不完全な場合、その他のコンタクトとケーブルが互いに導通することを想定していない場合においても、その後の導通検査でケーブルとコンタクトが導通しているという結果が出てしまう場合がある。このような状態のコネクタは、出荷後にリセプタクル本体からケーブルが外れてしまい、導通検査で導通したという結果が出たにも拘わらず導通不良となることが少なくない。また、ケーブルを正しく挿入し、かつ、アクチュエータの閉作業を行った場合であっても、アプリケーションの組立工程、出荷工程、その他の工程において、アクチュエータに不用意な外力が加わった場合は、コンタクトとケーブルとの導通が確保できなくなるおそれがある。
【０００４】
また、アプリケーションが通電状態の時にリセプタクル本体にケーブルを挿入する場合、アクチュエータの閉操作前はケーブルが保持されていない状態となることから確実に不導通を維持することが困難であった。仮に不導通が維持されずに信号線の一部だけが導通したり、タッチ（瞬間的な導通）が生じた場合、最悪はアプリケーションに短絡や保護回路等の破壊が生じ誤動作を起こす原因となってしまう。
【課題を解決するための手段】
【０００５】
上記課題を解決するために、本発明のケーブル用コネクタにおいては、絶縁性材料からなり、ケーブルが挿入されるリセプタクル本体と、リセプタクル本体に装着される複数のコンタクトと、その弾性力により、リセプタクル本体に挿入されたケーブルとコンタクトとを互いに離間させて不導通とする離間部材と、離間部材の弾性力に抗して、ケーブルをコンタクト側に付勢する付勢部材と、ケーブルがリセプタクル本体内の所定位置まで挿入されたときにのみ、付勢部材の付勢力によりケーブルとコンタクトとを互いに接触導通させるように、ケーブルのコンタクト側への移動を規制する移動規制部材と、を備えるリセプタクルコネクタを具備することを特徴としている。
【０００６】
上記ケーブルは、リセプタクルコネクタとは別個のホルダに保持された状態で、リセプタクル本体に挿入されることが好ましい。
【０００７】
上記付勢部材はホルダに保持されたアクチュエータであって、アクチュエータは、ホルダをリセプタクル本体に挿入したときに、コンタクトに軸支されて回動可能なカム部を備え、カム部の回動により、離間部材の弾性力に抗して、ケーブルをコンタクト側へ付勢することができる。
【０００８】
上記離間部材は、リセプタクル本体に挿入されたケーブルとコンタクトが対向する方向に弾性変形可能となるように、リセプタクル本体に支持されたばねであって、付勢部材による付勢力が働いていない状態では、その弾性力によりケーブルとコンタクトとを互いに離間させるとよい。
【０００９】
上記移動規制部材は、ホルダの側面から外方に突出するように設けられた凸状部と、ケーブルがリセプタクル本体の所定位置まで挿入されたときに、付勢部材の付勢力により、内部に凸状部を格納し、これによりケーブルとコンタクトとを互いに接触させるように、リセプタクル本体に凹設された凹状格納部と、凸状部が凹状格納部に格納された状態を維持する格納維持部と、を備えることが好ましい。
【００１０】
上記格納維持部は、カム部であって、互いに対向して配置されたコンタクトの接触部とスタビライザ脚の間に配置され、ケーブルを接触部側へ付勢するための回動後に、カム部に設けた平面部の対向する両端面をケーブルの裏面とスタビライザ脚にそれぞれ当接させて、接触部、ケーブルの当接面、平面部、及び、スタビライザの当接面が一直線上に並んだ状態とすることにより、凸状部が凹状格納部に格納された状態を維持することができる。
【発明の効果】
【００１１】
本発明によると、リセプタクル本体へのケーブルの挿入が不完全な場合やアクチュエータの閉作業が不完全な場合、その他のコンタクトとケーブルが互いに導通することを想定していない不完全な嵌合状態において、ケーブルとコンタクトとの不導通を維持することができ、かつ、ケーブルの抜けを抑止することができるケーブル用コネクタを提供することができる。また、ホルダに保持された状態でケーブルがリセプタクル本体に位置を規制されながら挿入されるため、この挿入の間のコンタクトとケーブルの不導通を確実に維持することができる。
【発明を実施するための最良の形態】
【００１２】
以下、本発明にかかる実施形態を図面を参照しつつ詳しく説明する。
本実施形態に係るケーブル用コネクタは、ホルダ１０と、リセプタクル本体６０、コンタクト８０、離間部材としての補助ばね９１、９２、及び、アクチュエータ４０を備えるリセプタクルコネクタ５０と、を具備する。
【００１３】
（１）ホルダ１０
ホルダ１０は、内部にケーブル３０を保持した状態で、リセプタクルコネクタ５０に挿入される絶縁性部材であって、ケーブル挿入部１２〜１５、ケーブル保持部１６、アクチュエータ保持部１７、１８、収納部１９、及び、嵌合キー２０、２１を有する。ホルダ１０は、絶縁性部材（例えば、９Ｔナイロン、６６ナイロン及び４６ナイロンその他のナイロン（ＰＡ）、液晶ポリマー（ＬＣＰ）、ポリフェニレンサルファイド（ＰＰＳ））を射出成形することにより形成される。
【００１４】
ケーブル挿入部１２、１３は、略矩形板状のホルダ１０の上部１１０の幅方向両端部１１０ａ、１１０ｂにおいて、それぞれ内側に開くように凹設された溝状とされている。ケーブル挿入部１２とケーブル挿入部１３との間隔は、これらの間に挿入されるケーブル３０の幅方向（ケーブル挿入部１２への挿入方向と直交する方向）と略同一である。ケーブル挿入部１２の内面の上側には、互いに対向し、かつ、下側へ向かうにしたがって互いの距離が近づくように形成された、ケーブル３０を誘い込むための傾斜面１２ａ，１２ｂが、それぞれ設けられている。ケーブル挿入部１３の内面にも傾斜面１２ａ、１２ｂと同様に、傾斜面１３ａ、１３ｂが設けられている。
【００１５】
ケーブル挿入部１４、１５は、ホルダ１０の下部１１１の幅方向両端部１１１ａ、１１１ｂにおいて、両端部１１０ａ、１１０ｂに対応した位置に、それぞれ内側に開くように凹設された溝状をなしている。ケーブル３０は、ホルダ１０の上方から、幅方向の両側面３１、３２を両端部１１０ａ、１１０ｂにそれぞれ接触させつつ挿入され、ケーブル３０の下面３３の両端がケーブル挿入部１４、１５にそれぞれ当接したところで挿入は終了する。なお、ケーブル挿入部１２〜１５の形状は、内部にケーブル３０を挿通できれば、溝状に限定されない。また、ホルダ１０の幅方向において、ケーブル挿入部１４と１５との中間位置に、ケーブル挿入部１４、１５と同様の溝形状をなした側面１１４（図１（ａ）点線）を設けると、ケーブル３０のたるみを抑止できるため好ましい。
【００１６】
ケーブル保持部１６は、ホルダ１０の上部１１０から、ケーブル挿入部１２〜１５で規定されるケーブル３０の挿入位置側へ、斜め下方へ傾斜した状態で延びる傾斜面１６ａと、その先端部に鉛直方向に延びるように形成された平面１６ｂと、平面１６ｂから略水平方向に延びる下面１６ｃと、を備えている。
【００１７】
アクチュエータ保持部１７、１８は、端部１１０ａと端部１１１ａの間、及び、端部１１０ｂと端部１１１ｂ間に設けられ、後述のアクチュエータ４０の支持部４５、４６をそれぞれ回動可能に保持するように凹設されている。このアクチュエータ保持部１７、１８は、アクチュエータ４０を開いた状態で保持したときに、ホルダ１０へのケーブル３０の挿入を妨げないような位置に設けられている。
【００１８】
ホルダ１０の略中央には、厚み方向に貫通する（前面１１２から背面１１３側へ貫通する方向）収納部１９が設けられている。この収納部１９には、前面１１２側からアクチュエータ４０が挿入され、その支持部４５、４６がアクチュエータ保持部１７、１８にそれぞれ回動可能に保持されたアクチュエータ４０は、背面１１３側から延出する（図１（ｃ））。
【００１９】
ホルダ１０の側面１１４、１１５の下部には、外方へ突出する略直方体状の嵌合キー（凸状部）（移動規制部材）２０、２１が、それぞれ設けられている。これら嵌合キー２０、２１は、ホルダ１０が後述のリセプタクル本体に挿入されたときに、リセプタクル本体の所定位置に設けられたキー溝に格納されて、ホルダ１０のリセプタクル本体への挿入深さを規定するとともに、ホルダ１０がリセプタクル本体から抜けることを抑止する。また、嵌合キー２０、２１には、高さ方向略中央に段部２０１、２１１がそれぞれ設けられ、これによりホルダ１０をリセプタクル本体に挿入したときに、補助ばね９１、９２の弾性力と相俟ってクリック感を得ることができる。嵌合キー２０、２１に代えて、図１（ｄ）に示すように、高さ方向略中央に凹部２０２を設けた構成の１２０とすると、クリック感がより明確となるとともに後述する補助ばね９１，９２の折り曲げ当接部９１５ａ、９２５ａが凹部２０２に嵌り込むことでホルダ１０を仮保持するため好ましい。
【００２０】
ここで、ケーブル３０は、フレキシブルプリント基板（ＦＰＣ）、フレキシブルフラットケーブル（ＦＦＣ）その他の平型で柔軟な周知の構造を備えている（図２（ａ）、（ｂ））。ケーブル３０の表面３４には、リセプタクル本体内に装着されるコンタクトと接触導通する導体部（不図示）が形成されている。裏面３５には、リセプタクル本体に挿入される先端側に、補強板３６が接着固定されている。この補強板３６は、例えば、ポリイミド・ＰＥＴ（ポリエチレンテレフタレート）・ガラスエポキシ・ステンレス鋼（ＳＵＳ）によって形成することができる。
【００２１】
（２）アクチュエータ４０
図３に示すアクチュエータ（付勢部材）４０は、長手方向直交断面が略への字状の板状部材であって、ホルダ１０に保持されたときに開閉動作を行うための操作部４１と、カム部４３と、略円柱状の支持部４５、４６と、を備える。アクチュエータ４０、ケーブル３０、及びホルダ１０とによってホルダユニット１００が構成される。カム部４３は、略長板状のスタビライザ部４３１と、スタビライザ部４３１の幅方向に対して略直交するように延設された平面状連結部４３２と、平面状連結部４３２と操作部４１を段部４３５を介して連設した凹部４３４と、を備える。凹部４３４は、スタビライザ部４３１、平面状連結部４３２、及び操作部４１により囲まれるように形成され、アクチュエータ４０の開閉中にリセプタクル本体内のコンタクト８０の回動支持部と係合する。スタビライザ部４３１は、アクチュエータ４０が開状態のときにケーブル３０を保持する平面４３１ａ、及び、幅方向において互いに略対向する端面４３１ｂと受面４３１ｃ、を備える。端面４３１ｂは、アクチュエータ４０が閉状態のときに、スタビライザ脚８７、８７’の凹部８７０、８７０’に当接するように、受面４３１ｃは、ケーブル３０を介してコンタクト８０のバネ部８５による接触圧力を受けるように、それぞれ平面を備えている。
【００２２】
また、スタビライザ部４３１と平面状連結部４３２との連設部分の長手方向両側において、外方へ膨らむように肉厚部４３３が形成されている（図３（ａ）、（ｂ））。この肉厚部４３３は、アクチュエータ４０の操作時に補強板３６と当接するものであり、これを乗り越えることで操作者がクリック感を得ることができる。肉厚部４３３を形成する位置は、所望のクリック感の強度や操作感にするために長手方向の両側に限らず任意の場所に形成することも可能である。スタビライザ４３１は、アクチュエータ４０が閉状態のときにコンタクト接触部８８が所定の変位を得るように、端面４３１ｂと受け面４３１ｃとの距離をＤ１としている。このＤ１は、コンタクト８０の弾性、形状（特にコンタクト接触部８８からスタビライザ脚８７０までの距離）、ケーブル３０の弾性、厚み、を考慮して、アクチュエータ４０が閉状態のときのロック力が所望のものとなるように、任意の一定値に設定することができる。
【００２３】
また、略円柱状の支持部４５、４６は、スタビライザ部４３１と平面状連結部４３２との境界部分の側面から外方へ突出し、ホルダ１０のアクチュエータ保持部１７、１８にそれぞれ係合し、アクチュエータ４０の開閉操作の軸となる。アクチュエータ４０は、ホルダ１０と同様に、絶縁性部材（例えば、９Ｔナイロン、６６ナイロン及び４６ナイロンその他のナイロン（ＰＡ）、液晶ポリマー（ＬＣＰ）、ポリフェニレンサルファイド（ＰＰＳ））を射出成形することにより形成される。
【００２４】
なお、アクチュエータ４０は、ホルダ１０ではなく、リセプタクル本体側に保持させることもできる。この場合、補強板３６が、アクチュエータ４０の動作によってケーブル３０が移動可能となる程度の剛性を備えている場合は、ホルダ１０を用いなくてもよい。
【００２５】
（３）ホルダユニット１００の組立
ホルダ１０とアクチュエータ４０の組み立て及びケーブル３０のホルダ１０への挿入、すなわちホルダユニット１００の組立は次のように行う。
まず、アクチュエータ４０を、ホルダ１０のケーブルが載置される側（ケーブル挿入部１２〜１５が設けられている側）から、操作部４１を先頭にして、収納部１９に挿通し、支持部４５、４６をアクチュエータ保持部１７、１８にそれぞれ係合させる（図１（ｃ））。
【００２６】
つづいて、アクチュエータ４０を開位置にした状態（スタビライザ部４３１の平面４３１ａが略鉛直方向に沿うようにアクチュエータ４０を回動させた状態）（図１（ｅ）の状態）で、アクチュエータ４０側に補強板３６が来るようにして、ケーブル３０を上側からケーブル挿入部１２、１３内へ挿入する。ケーブル３０は、両側面３１、３２をケーブル挿入部１２、１３によりそれぞれ位置決めされながら、ケーブル３０の補強板３６がケーブル保持部１６を滑る、即ち、撓みながら挿入される。補強板３６がケーブル保持部１６の平面１６ｂを乗り越えると、補強板３６の弾性により平面状にもどる。さらに、アクチュエータ４０のスタビライザ部４３１の平面４３１aとケーブル３０の補強板３６とが当接するとともに、ケーブル挿入部１４、１５に補強板３６が嵌合して、ケーブル３０の弾性により、アクチュエータ４０が開位置に保持される。また、ケーブル３０は、補強板３６の上面３６ａとケーブル保持部１６の下面１６ｃとが対向することにより、ホルダユニット１００からの抜けが抑止される。
【００２７】
（４）リセプタクルコネクタ５０
リセプタクルコネクタ５０は、図４（ａ）、（ｂ）に示すように、リセプタクル本体６０の内部にコンタクト８０、補助ばね９１、９２を装着してなる。
リセプタクル本体（インシュレータ）６０は、ケーブル３０を保持したホルダ１０が内部に挿入される略直方体形状の外形を有する中空の絶縁性部材であって、開口部６３、コアホール６５、キー挿入部７０、７１、キー格納部７２、及び、ストッパ（格納維持部）（移動規制部材）７４を有する。リセプタクル本体６０は、ホルダ１０と同様に、絶縁性部材（例えば、９Ｔナイロン、６６ナイロン及び４６ナイロンその他のナイロン（ＰＡ）、液晶ポリマー（ＬＣＰ）、ポリフェニレンサルファイド（ＰＰＳ））を射出成形することにより形成される。
【００２８】
開口部６３は、ホルダユニット１００をリセプタクルコネクタ５０内に導くために、リセプタクル本体６０の上部において長手方向に沿って設けた開口である。この開口部６３の下方には、コンタクト８０を挿入・載置するための空間としてコアホール６５が形成されている。
【００２９】
リセプタクル本体６０の長手方向両端部には、開口部６３に連設されるように、ホルダユニット１００をリセプタクルコネクタ５０内に挿入したときに嵌合キー２０、２１をリセプタクルコネクタ５０内に導く空間として、キー挿入部７０、７１がそれぞれ形成されている。
【００３０】
キー挿入部７０、７１には、リセプタクル本体６０の厚さ方向（図４（ｃ）の左右方向）の一方へ広がる空間としてキー格納部（凹状格納部）（移動規制部材）７２、７３がそれぞれ連設形成されている。このキー格納部７２、７３内には、補助ばね９１、９２がそれぞれ挿入・係止される、リセプタクル本体６０の所定の位置に本体部９１０、９２０がそれぞれ固定される。
【００３１】
キー格納部７２、７３の上部には、ストッパ７４、７５がそれぞれ設けられている。アクチュエータ４０の操作により、リセプタクルコネクタ５０へのホルダユニット１００（ケーブル３０）の嵌合が完了したときに、嵌合キー２０、２１の上面２０ａ、２１ａと、ストッパ７４、７５の下面７４ａ、７５ａとが、ケーブル３０に抜け方向の外力が加わった際に当接可能なように、それぞれ対向する（ホルダユニット１００の挿入方向の平面視で重なる）。これによってホルダユニット１００がリセプタクルコネクタ５０から抜けることを防止することができる。さらに、嵌合キー２０、２１と下面７４ａ、７５ａとの相対高さを設定することにより、嵌合キー２０、２１をキー格納部７２、７３内にそれぞれ入れるために、ホルダユニット１００をリセプタクルコネクタ５０内に入れる挿入深さを定めることができる。この挿入深さは、最終的には、リセプタクル本体６０の開口部６３の底面６３ａ全体と、ホルダ１００の底面１１５全体と、の当接により規定される。このように、底面６３ａと底面１１５の広い面積で当接させることで、リセプタクル本体６０内でのホルダユニット１００が傾くことを抑止することができる。
【００３２】
ホルダユニット１００とリセプタクルコネクタ５０との嵌合が完了するところで、嵌合キー２０、２１がキー格納部７２、７３内に初めて挿入できるように、下面７４ａ、７５ａの高さ（所定位置）を設定すれば、嵌合完了時には上面２０ａ、２１ａと下面７４ａ、７５ａとの当接によりホルダユニット１００の嵌合は維持され、未完了時には、嵌合は維持されずホルダユニット１００は容易にリセプタクルコネクタ５０から外れるように構成することができる。さらに、嵌合キー２０、２１の形状やキー挿入部７０，７１の位置を任意に設定することによりホルダユニット１００のリセプタクルコネクタ５０への逆嵌合（誤嵌合）を防止することができる。
【００３３】
コンタクト８０、８０’は、図５（ａ）及び図５（ｂ）に示す平面形状を備えた板状部材であって、その厚さ方向に交互に並置したものである。これらのコンタクト８０、８０’は、テール部８１、８２’、連結部８３、８３’、バネ部８５、８５’、スタビライザ脚８７、８７’、接触部８８、８８’、及び回転支持部８９、８９’を、それぞれ備えている。コンタクト８０、８０’は、例えば、りん青銅（Ｃｕ−Ｓｎ系銅合金）、ベリリウム銅（Ｃｕ−Ｂｅ系銅合金）、チタン銅（Ｃｕ−Ｔｉ系銅合金）、コルソン系銅合金（Ｃｕ−Ｎｉ−Ｓｉ系銅合金）その他の銅合金の順送金型によるスタンピング成形により形成し、その表面に、例えば、金、銅−錫、又は、錫−鉛によるめっき処理を施したものである。コンタクト８０、８０’の基板への実装は、実装機を用いて、吸着やチャッキングにより行われる。
【００３４】
コンタクト８０は、コアホール６５の底部に略水平に配置される連結部８３の両端からは、互いに対向するバネ部８５、スタビライザ脚８７が鉛直上方に延びており、連結部８３とバネ部８５の連設部分からは、リセプタクルコネクタ５０が実装される基板にはんだ付けされるテール部８１が延びている。バネ部８５は、その先端において、スタビライザ脚８７側へ突出する接触部８８が形成されたバネとして機能する。接触部８８とケーブル３０の導体部が接触することにより、コネクタとしての導通を実現することができる。スタビライザ部８７は、ホルダユニット１００がリセプタクルコネクタ５０に挿入されたときにアクチュエータ４０の凹部４３４を回動可能に支持する回動支持部８９が形成されている。
【００３５】
コンタクト８０’は、コンタクト８０の連結部８３、バネ部８５、スタビライザ脚８７、接触部８８、及び、回動支持部８９とそれぞれ同一形状の連結部８３’、バネ部８５’、スタビライザ脚８７’、接触部８８’、及び、回動支持部８９’を備える。コンタクト８０’では、コンタクト８０のテール部８１に代えて、リセプタクルコネクタ５０が実装される基板にはんだ付けされるテール部８２’が、連結部８３’とスタビライザ脚８７’の連設部分から延設されている。以上の構成のコンタクト８０、８０’を、同一形状部分の配置を対応させて並置すると、テール部８１、８２’は、千鳥配置される（図７、図８）。
【００３６】
なお、コンタクト８０、８０’に代えて、図５（ｃ）に示す１種類のコンタクト８００を並置することもできる。このコンタクト８００では、コンタクト８０の連結部８３、バネ部８５、スタビライザ脚８７、接触部８８、及び、回動支持部８９とそれぞれ同一形状の連結部８３０、バネ部８５０、スタビライザ脚８７０、接触部８８０、及び、回動支持部８９０を備え、連結部８３０の両端からテール部８１０、８２０が延びている。
【００３７】
補助ばね（離間部材）９１、９２は、コンタクト８０と同様に、例えば、りん青銅（Ｃｕ−Ｓｎ系銅合金）、ベリリウム銅（Ｃｕ−Ｂｅ系銅合金）、チタン銅（Ｃｕ−Ｔｉ系銅合金）、コルソン系銅合金（Ｃｕ−Ｎｉ−Ｓｉ系銅合金）その他の銅合金、ステンレス鋼（ＳＵＳ）等の順送金型によるスタンピング成形により形成し、その表面に、例えば、金、銅−錫、又は、錫−鉛によるめっき処理を施した一対の板状部材を折り曲げ加工して、リセプタクル本体６０の所定の位置に係止固定される本体部９１０、９２０と、スプリング部９１５、９２５と、をそれぞれ構成したものである（図６）。スプリング部９１５、９２５は、本体部９１０、９２０から離間する方向に延びた後、折り曲げ当接部９１５ａ、９２５ａから、本体部９１０、９２０へ近づくような形状となっている。補助ばね９１、９２に力が加わっていない自然状態では、スプリング部９１５、９２５のうち少なくとも折り曲げ当接部９１５ａ、９２５ａが、キー格納部７２、７３から、キー挿入部７０、７１側へ突出している。スプリング部９１５、９２５は、キー挿入部７０、７１からキー格納部７２、７３へ向けた力を受けると、本体部９１０、９２０へ近づくように弾性変形可能であって、この力を解除すると弾性によりもとにもどる。
【００３８】
なお、補助ばね９１、９２として用いるばねは、押しバネ、引きバネのどちらも採用することができる。また、ばねに代えて、弾性を有するゴムを用いることもできる。例えば、キー格納部７２、７３の側壁にゴムからなる部材の一端を固定し、他端をキー格納部７２、７３から、キー挿入部７０、７１側へ突出させると、このゴムは、キー挿入部７０、７１からキー格納部７２、７３へ向けた力を受けると、本体部９１０、９２０へ近づくように弾性変形可能であって、この力を解除すると弾性によりもとにもどる。
【００３９】
リセプタクルコネクタ５０の組立は、周知のコネクタと同じ組立工程で行い、コネクタの形態としては、ケーブルの延出方向が基板に対して垂直なＳＴタイプ、または、基板に対し平行なＲＡタイプのいずれでもよい。
テール部８１、８２は千鳥配列することが好ましい。これは、片側のテール部のピッチ間距離がコンタクト８０のピッチ間距離の倍とすることができるので実装性を向上させることができるとともに、ケーブルやコネクタに想定外の外力が加わった際にコネクタの基板からの剥離を抑止する効果がある。
【００４０】
（５）リセプタクルコネクタ５０へのホルダユニット１００（ケーブル３０）の挿入抜去動作
まず、嵌合キー２０、２１がキー挿入部７０、７１内に入り込む程度に、ホルダユニット１００をリセプタクルコネクタ５０に挿入する（図７（ａ）から図７（ｂ）へ移った状態）。このとき、ケーブル３０を接触部８８に近づけるようにホルダユニット１００を動かそうとしたとしても、嵌合キー２０、２１と、キー挿入部７０、７１又はストッパ７４、７５とが互いにそれぞれ当接することにより、ホルダユニット１００の移動は規制される。一方、嵌合キー２０、２１には、補助ばね９１、９２から、ホルダユニット１００を接触部８８から離間させる方向に力が加わっているため、ケーブル３０とコンタクト接触部８８とが接触することがない。
【００４１】
ホルダユニット１００をリセプタクルコネクタ５０へさらに挿入すると、アクチュエータ４０の凹部４３４が回転支持部８９に当接し、アクチュエータ４０は回転し始める（図７（ｃ））。ただし、この状態でのアクチュエータ４０の自然回転は、ケーブル３０に対して接触部８８に向かうような負荷をかけるものではない。嵌合キー２０、２１の上面２０ａ、２１ａが、ストッパ７４、７５の下面７４ａ、７５ａより低い位置にくると、補助ばね９１、９２の弾性により、折り曲げ当接部９１５ａ、９２５ａは嵌合キー２０、２１に当接するとともに、段部２０１、２１１を超えることによりクリック感が得られる。このとき、回転支持部８９の先端には、アクチュエータ４０の凹部４３４が、スタビライザ脚８７の内面にはスタビライザ部４３１の先端が、さらに補強板３６には、カム部４３が、それぞれ当接し、ホルダユニット１００の抜けが防止される仮保持の状態となる。
【００４２】
つづいて、アクチュエータ４０を閉位置へ操作する、すなわち、平面状連結部４３２が鉛直方向（図７、８における上下方向）に沿ってケーブル３０と平行になるまでアクチュエータ４０を回動させる（図８（ａ）において反時計方向に回動）。すると、カム部４３は、スタビライザ脚８７上をすべりながらスタビライザ部４３１が水平方向に配置されるまで回動し、この間、ケーブル３０は、平面状連結部４３２およびスタビライザ部４３１の回動により、ホルダ１０とともに、水平方向に寸法変化しつつ、接触部８８へ押し付けられる方向に移動する。スタビライザ部４３１の端面４３１ｂが、鉛直方向に延びるようにスタビライザ脚８７、８７’に凹設された凹部８７０、８７０’に当接して、水平方向（図７、図８における左右方向）に配置される閉位置では、接触部８８、ケーブル３０、スタビライザ部４３１、スタビライザ脚８７が一直線（力線Ａ）上に並ぶ構成となる。すなわち、端面４３１ｂと受け面４３１ｃとの距離を一定値Ｄ１としてコンタクト８０のバネ部８５で生じる接触圧力をガタツキなくスタビライザ脚８７で受けることができるので、安定した電気的接触を得ることができる。さらに、補助ばね９１、９２が所定量だけ変位して、補助バネ９１、９２による押圧力が生じるため、力線Ａとの関係により、力学的に安定した状態となるのでホルダ１０の姿勢安定しがたつくことがなくなる。こうして、接触部８８とケーブル３０の導体部が互いに接触して導通するロック状態を得ることができる。
さらに、アクチュエータ４０を閉位置まで操作することにより、ホルダユニット１００が鉛直方向下方へｈだけ変位する。これにより、アクチュエータ４０の操作開始からロック状態に至るまでの間に、接触部８８がケーブル３０上を摺動するため、ケーブル３０の酸化皮膜除去等のワイピング効果を得ることができる。
【００４３】
アクチュエータ４０を開方向に操作（図８（ｂ）において時計方向に回動）すると、コンタクト８０によるケーブル３０への接圧、および補助ばね９１、９２による嵌合キー２０、２１部への押圧力により、ケーブル３０と接触部８８が離間するように、ホルダユニット１００は自動的に水平方向に移動し、ケーブル３０と接触部８８は不導通状態となる。
このときにも補助ばね９１，９２がホルダユニット１００を仮保持するので、自然にホルダユニットが外れてしまうことを抑止できる。
【００４４】
本発明について上記実施形態を参照しつつ説明したが、本発明は上記実施形態に限定されるものではなく、改良の目的または本発明の思想の範囲内において改良または変更が可能である。
【図面の簡単な説明】
【００４５】
【図１】（ａ）は本発明の実施形態に係るホルダの構成を示す斜視図、（ｂ）は（ａ）のＩＢ−ＩＢ線に沿った断面図、（ｃ）はホルダにアクチュエータを装着した状態を示す斜視図、（ｄ）は嵌合キーの変形例の構成を示す側面図、（ｅ）は（ｃ）におけるホルダの長手方向略中央部における縦断面図である。
【図２】（ａ）は図１（ｃ）のホルダにケーブルを挿入する状態を示す斜視図、（ｂ）はケーブル及びケーブル保持部が対向したときの状態を示す縦断面図、（ｃ）はケーブル挿入後のホルダユニットの構成をホルダの背面側から見た斜視図、（ｄ）は（ｃ）をホルダの前面側から見た斜視図、（ｅ）は（ｃ）におけるホルダの長手方向略中央部における縦断面図である。
【図３】（ａ）は本発明の実施形態に係るアクチュエータの構成を示す斜視図、（ｂ）はその側面図である。
【図４】（ａ）は本発明の実施形態に係るリセプタクルコネクタの構成を示す分解斜視図、（ｂ）は組み立て後のリセプタクルコネクタの構成を示す斜視図、（ｃ）は（ｂ）のＩＶＣ−ＩＶＣ線に沿った断面図、（ｄ）は（ｂ）のＩＶＤ−ＩＶＤ線に沿った断面図である。
【図５】（ａ）、（ｂ）は本発明の実施形態に係るコンタクトの構成を示す斜視図であり、（ｃ）は変形例に係るコンタクトの構成を示す斜視図である。
【図６】本発明の実施形態に係る補助ばねの構成を示す斜視図である。
【図７】（ａ）は本発明の実施形態に係るホルダユニットをリセプタクルコネクタに挿入する前の状態を、（ｂ）は挿入初期の状態を、（ｃ）はホルダユニットが仮保持された状態を、それぞれ示す図であって、各図の左側は図４（ｃ）に対応する断面、右側は図４（ｄ）に対応する断面である。
【図８】（ａ）は本発明の実施形態に係るアクチュエータを閉じてホルダユニットが嵌合・ロックされた状態を、（ｂ）はアクチュエータを開いてロックが解除された状態を、それぞれ示す図であって、各図の左側は図４（ｃ）に対応する断面、右側は図４（ｄ）に対応する断面である。
【符号の説明】
【００４６】
１０    ホルダ
２０    嵌合キー（凸状部）
３０    ケーブル
４０    アクチュエータ（付勢部材）
５０    リセプタクルコネクタ
６０    リセプタクル本体
７２    キー格納部（凹状格納部）
７３    キー格納部（凹状格納部）
７４    ストッパ（格納維持部）
８０    コンタクト
９１    補助ばね（離間部材）
９２    補助ばね（離間部材）
１００  ホルダユニット
【図１】
0004398914.tif 000002
【図２】
0004398914.tif 000003
【図３】
0004398914.tif 000004
【図４】
0004398914.tif 000005
【図５】
0004398914.tif 000006
【図６】
0004398914.tif 000007
【図７】
0004398914.tif 000008
【図８】
0004398914.tif 000009